(57)【要約】【課題】モニタに、複写動作中の動作状況として、全体の進捗情報と各データの進捗状況を表示することで、装置の使い勝手を向上させる。【解決手段】モニタ３に、光ディスクのオーディオデータに関する情報として、ＨＤＤ６に記録する光ディスクのオーディオデータの選択／非選択表示及び曲名表示とを含めて一覧表示し、オーディオデータをＨＤＤ６に記録している際に、一覧表示において、記録が完了しているオーディオデータを示す表示と現在記録中のオーディオデータを示す表示とを表示する。【選択図】図５
2008016178.tif 000002
【特許請求の範囲】
【請求項１】
第１の記録媒体に記録されているコンテンツデータを第２の記録媒体に記録する場合に、上記コンテンツデータに関する情報を表示する表示制御装置において、
上記第２の記録媒体に記録する第１の記録媒体のコンテンツデータに関する情報を表示する表示制御手段を備え、
上記表示制御手段は、上記第１の記録媒体のコンテンツデータに関する情報として、上記第２の記録媒体に記録する第１の記録媒体のコンテンツデータの選択／非選択表示及びコンテンツ名称表示とを含めて一覧表示し、
上記コンテンツデータを上記第２の記録媒体に記録している際に、該一覧表示において、記録が完了しているコンテンツを示す表示と現在記録中のコンテンツを示す表示とを表示することを特徴とする表示制御装置。
【請求項２】
上記表示制御手段は、現在記録中のコンテンツデータの記録進捗状況を、該記録進捗状況に応じて表示部分の色が一方の側から他方の側へと変化するように表示することを特徴とする請求項１に記載の表示制御装置。
【請求項３】
上記コンテンツデータはオーディオデータであり、上記コンテンツ名称は曲名であることを特徴とする請求項１に記載の表示制御装置。
【請求項４】
上記表示制御手段は、上記第１の記録媒体のコンテンツデータに関する情報として、更に、再生時間とを含めて一覧表示することを特徴とする請求項３に記載の表示制御装置。
【請求項５】
第２の記録媒体に記録する第１の記録媒体のコンテンツデータの選択／非選択及びコンテンツ名称を、上記第１の記録媒体のコンテンツデータに関する情報として、一覧表示するコンテンツ情報表示ステップと、
第２の記録媒体に記録する上記第１の記録媒体のコンテンツデータをユーザに選択させる選択ステップと、
上記選択ステップによって選択された上記第１の記録媒体のコンテンツデータの上記第２の記録媒体への記録を開始する記録開始ステップと、
上記選択ステップによって選択された上記コンテンツデータを上記第２の記録媒体に記録している際に、上記一覧表示において、記録が完了しているコンテンツを示す表示と現在記録中のコンテンツを示す表示とを表示する記録時表示ステップとを有する表示方法。
【請求項６】
上記記録時表示ステップにおいて、現在記録中のコンテンツデータの記録進捗状況を、該記録進捗状況に応じて表示部分の色が一方の側から他方の側へと変化するように表示することを特徴とする請求項５に記載の表示方法。
【請求項７】
上記コンテンツデータはオーディオデータであり、上記コンテンツ名称は曲名であることを特徴とする請求項５に記載の表示方法。
【請求項８】
上記コンテンツ情報表示ステップにおいて、上記第１の記録媒体のコンテンツデータに関する情報として、更に、再生時間とを含めて一覧表示することを特徴とする請求項７に記載の表示方法。
【発明の詳細な説明】
【技術分野】
【０００１】
本発明は、第１の記録媒体に記録されているデータの中の一又は複数を、第１の記録媒体と異なる第２の記録媒体に記録する際、第１の記録媒体と第２の記録媒体の記録内容を一覧表示する表示制御装置及びオーディオデータの表示方法に関する。
【背景技術】
【０００２】
従来より複数種類の記録媒体のドライブを備えた情報処理装置がある。例えばパーソナルコンピュータは、装置本体に内蔵されたハードディスクドライブと、装置本体に対して着脱可能な光ディスクのディスクドライブとを備え、例えば、光ディスクに記録されたデータをハードディスクに記録、すなわち複写することができるようになっている。
【０００３】
パーソナルコンピュータは、光ディスクに記録されたデータをハードディスクに複写するとき、モニタに進捗状況を表示する。例えば、ユーザがマウス等で光ディスクに記録されているデータを選択して、ハードディスクに複写する操作を行うと、モニタには、選択した全データの複写の進捗状況が百分率、残り時間、インジケータ等で表示されるようになっている。
【０００４】
しかしながら、以上のようなパーソナルコンピュータは、モニタに、複写しようとするデータの全体の進捗状況を示すのみであり、したがって、ユーザは、複数のデータを一度に複写しようとするとき、現在までにどのデータの複写が完了しているか、現在どのデータを複写中であるか、複写中のデータはどれだけ複写が進行しているか、これから複写するデータがどれだけ残っているか等を知ることはできない。
【０００５】
また、パーソナルコンピュータが複写動作中に動作不能になってしまったとき等、ユーザは、何処までデータの複写が完了しているか分からない状態となってしまい、再度、パーソナルコンピュータが正常に戻った後、最初から複写作業をやり直さなければならないことがある。
【０００６】
【特許文献１】特開２００１−２５０３１９号公報
【発明の開示】
【発明が解決しようとする課題】
【０００７】
本発明の目的は、表示手段に、複写動作中の動作状況として、全体の進捗情報と各データの進捗状況を表示することで、装置の使い勝手を向上させることができる表示制御装置及び表示方法を提供することにある。
【課題を解決するための手段】
【０００８】
本発明に係る表示制御装置は、上述した課題を解決すべく、第１の記録媒体に記録されているコンテンツデータを第２の記録媒体に記録する場合に、上記コンテンツデータに関する情報を表示する表示制御装置において、上記第２の記録媒体に記録する第１の記録媒体のコンテンツデータに関する情報を表示する表示制御手段を備える。そして、上記表示制御手段は、上記第１の記録媒体のコンテンツデータに関する情報として、上記第２の記録媒体に記録する第１の記録媒体のコンテンツデータの選択／非選択表示及びコンテンツ名称表示とを含めて一覧表示し、上記コンテンツデータを上記第２の記録媒体に記録している際に、該一覧表示において、記録が完了しているコンテンツを示す表示と現在記録中のコンテンツを示す表示とを表示する。
【０００９】
また、本発明に係る表示方法は、第２の記録媒体に記録する第１の記録媒体のコンテンツデータの選択／非選択及びコンテンツ名称を、上記第１の記録媒体のコンテンツデータに関する情報として、一覧表示するコンテンツ情報表示ステップと、第２の記録媒体に記録する上記第１の記録媒体のコンテンツデータをユーザに選択させる選択ステップと、上記選択ステップによって選択された上記第１の記録媒体のコンテンツデータの上記第２の記録媒体への記録を開始する記録開始ステップと、上記選択ステップによって選択された上記コンテンツデータを上記第２の記録媒体に記録している際に、上記一覧表示において、記録が完了しているコンテンツを示す表示と現在記録中のコンテンツを示す表示とを表示する記録時表示ステップとを有する。
【発明の効果】
【００１０】
本発明によれば、第１の記録媒体のコンテンツデータに関する情報として、第２の記録媒体に記録する第１の記録媒体のコンテンツデータの選択／非選択表示及びコンテンツ名称表示とを含めて一覧表示し、コンテンツデータを第２の記録媒体に記録している際に、一覧表示において、記録が完了しているコンテンツを示す表示と現在記録中のコンテンツを示す表示とを表示するようにしたので、複写するオーディオデータの選択を容易に行うことができるようにすると共に、複写がどの程度進んだかを直ちに視認することができるようにして、使い勝手の向上を図ることができる。
【発明を実施するための最良の形態】
【００１１】
以下、本発明が適用された情報処理装置について図面を参照して説明する。図１に示すように、本発明が適用された情報処理装置１は、パーソナルコンピュータとほぼ同様な機能を有するものであって、装置本体２と、この装置本体２に接続されるＣＲＴ（Casord Ray Tube）、ＬＣＤ（Liquid Crystal Display）等のモニタ３と、装置本体２に接続されるスピーカ１０，１０と、装置本体２に対して操作信号を入力するキーボード、マウス、トラックボール、ジョイスティック等の入力装置４と、装置本体２を遠隔操作するための遠隔操作装置５とを備える。
【００１２】
装置本体２は、内部に、オペレーティングシステム、閲覧ソフトウェア、電子メールプログラム、通信プロトコル、各種アプリケーションプログラム、オーディオデータ、映画データ等コンテンツデータが保存されるハードディスクドライブ（以下、ＨＤＤという。）６が設けられている。また、装置本体２には、装置本体２に対して着脱可能な外部記憶装置のドライブとして、光磁気ディスクを記録媒体に用いるディスクカートリッジ１１のディスクカートリッジドライブ７と、半導体メモリを記録媒体に用いるＩＣカード１２のＩＣカードドライブ８と、ＣＤ、ＤＶＤ等の光ディスク１３の光ディスクドライブ９が設けられている。更に、この装置本体２は、電気通信回線１４を介してインターネット等のネットワーク１５に接続されていると共に、テレビジョン放送やラジオ放送を受信するための受信機が内蔵され、この受信機がアンテナ１６に接続されている。また、装置本体２の前面側の上面には、装置本体２の基本的操作を行うための複数の押し釦からなる操作部１７が設けられている。
【００１３】
このような装置本体２を備える情報処理装置１は、例えば、ＣＤ、ＤＶＤ等の光ディスク１３を光ディスクドライブ９に装着し、記録されたオーディオデータ等のコンテンツデータを読み出すことによって、又は、ディスクカートリッジ１１をディスクカートリッジドライブ７に装着し、記録されたオーディオデータを読み出すことによって、更には、ＩＣカード１２をＩＣカードドライブ８に装着し、記録されたオーディオデータ等のコンテンツデータを読み出すことによって、これら外部記憶装置から読み出したコンテンツデータをＨＤＤ６に保存することができる。また、ＨＤＤ６には、ＥＭＤ（Electronic Music Distribution）等音楽配信サービスを利用して電気通信回線１４を介してダウンロードしたオーディオデータ等のコンテンツデータを保存することができる。更には、ＨＤＤ６には、テレビジョン放送やラジオ放送の番組も保存することができる。そして、情報処理装置１は、ＨＤＤ６に保存された様々なコンテンツデータを、スピーカ１０，１０より聞くことができ、また、モニタ３で見ることができる。
【００１４】
また、この情報処理装置１では、ＨＤＤ６に保存された種々のコンテンツデータを外部記憶装置であるディスクカートリッジ１１、ＩＣカード１２又は光ディスク１３に複写することができ、これによって、ユーザは、自らが所有する携帯型の再生装置を用いてコンテンツデータを再生することができる。
【００１５】
更に、情報処理装置１は、ＨＤＤ６に多くのコンテンツデータを保存することができることから、容易に所望のコンテンツデータを検索することができるようになっている。この情報処理装置１には、マイク１８が接続され、音声でコンテンツデータを検索することができるようにもなっている。
【００１６】
更には、この情報処理装置１は、電気通信回線１４を介してインターネット等のネットワーク１５に接続することによって、様々なウェブページを閲覧することができ、また、電子メールを送信し又は受信することができるようになっている。
【００１７】
次に、以上のような情報処理装置１の回路構成について、図２を参照して説明すると、この情報処理装置１は、様々な情報処理を行うコンピュータ部２１と、コンピュータ部２１を制御するシステム制御部２２とから構成されている。
【００１８】
先ず、コンピュータ部２１について説明すると、ＣＰＵ（central processingunit）２３は、コンピュータ部２１の全体の制御を行う。メモリ２４は、例えばＲＡＭ（random access memory）により構成されており、例えばハードディスクに保存されたデータがロードされＣＰＵ２３により実行される。メモリ２４のアクセス制御とモニタ３の表示制御を行う制御部となるＧＭＣＨ（Graphic memory control hub）２５は、モニタ用キャッシュや画像表示用コントローラを内蔵しモニタ３の画像表示制御を行うと共に、メモリ２４へのアクセス制御を行う。また、ＧＭＣＨ２５は、ＣＰＵ２３とＩＣＨ２６等他の回路とのインターフェースとなる。モニタドライバ９は、映像信号を所定の信号形式に変換し、モニタ３に出力する。
【００１９】
データの入出力制御を行う入出力制御部となるＩＣＨ（I/O controller hub）２６は、ＩＤＥ（Integrated Drive Electronics）インターフェース２７と、ＵＳＢ(Universal serial bus)インターフェース２８とを有する。ＩＤＥインターフェース２７は、ＨＤＤ６や光ディスクドライブ９とのインターフェースであり、また、ＵＳＢインターフェース２８は、ＵＳＢ接続された機器とのインターフェースであり、例えばマイク１８が接続される。シリアルインターフェース２９は、シリアル通信を制御し、キーボード等の入力装置４が接続されると共に、システムマイコン４３が接続され、これらからの入力をＩＣＨ２６に出力する。
【００２０】
ＰＣＩ（Peripheral Component Interconnect）バス３０は、ＩＣＨ２６の他に、ＴＶチューナ３１、モデム３２等が接続される。ＴＶチューナ３１は、ＴＶアンテナ１６ａに接続されており、ＴＶアンテナ１６ａからＲＦ信号が入力されこれを復調し、ＰＣＩバス３０へ出力する。例えば、ＴＶ信号は、ＰＣＩバス３０を介してＨＤＤ６に記録される。また、ＴＶチューナ３１は、ビデオ／オーディオ／ビデオ入力部４２からの入力とＴＶアンテナ１６ａからの入力とを切り換え、選択的に、ＰＣＩバス３０に出力する。モデム３２は、電話回線を通して外部の通信機器と通信を行うためのディジタル／アナログ変換、アナログ／ディジタル変換等の信号変換や回線制御を行う。ネットワークインターフェース３３は、イーサネット（登録商標）を介した通信を可能とする。サウンドインターフェース３４は、入力されるオーディオ信号を切り換えて各部に出力する。ＦＭチューナ３５は、ＦＭアンテナ１６ｂからのＦＭ放送信号を受信して復調し、これをサウンドインターフェース３４に出力する。
【００２１】
ディスクカートリッジドライブ７は、光磁気ディスクや光ディスクを記録媒体とするディスクカートリッジが装着され、システムマイコン４３によって制御される。このディスクカートリッジドライブ７のデータの入出力は、ＵＳＢインターフェース３６を介して行われる。なお、この入出力は、シリアル入出力バスであるＩ２Ｃインターフェースを用いて行うようにしてもよい。ＩＣカードドライブ８は、半導体メモリを記録媒体とするＩＣカードが装着され、データの入出力及び制御は、ＵＳＢインターフェース３６を介して行われる。ＩＥＥＥ１３９４インターフェース３７は、ＩＥＥＥ１３９４フォーマットによる通信を制御し、ＰＣＩバス３０とのインターフェースとなる。
【００２２】
オーディオデータの入力切り換えを行うＤＩＲ（Digital audio interface receiver）３８は、外部出力されるオーディオ信号を切り換える。例えば、ディスクカートリッジドライブ７やサウンドインターフェース３４から出力されるオーディオ信号を切り換えてオーディオＤＳＰに出力する。オーディオデータのデータ処理を行うデータ処理部となるオーディオＤＳＰ（digital signal processor）３９は、ＤＩＲ３８から入力されるオーディオ信号に対してイコライジング等の所定の信号処理を施してディジタルアンプ４０やオーディオ出力部４１に出力する。ディジタルアンプ４０は、スピーカ１０で放音されるレベルにオーディオ信号を増幅する。オーディオ出力部４１は、外部装置へオーディオ信号を出力するために信号レベル整える等の処理を行う。
【００２３】
システム制御部２２を構成するシステムマイコン４３は、シリアルインターフェース２９に接続され、操作部１７、遠隔操作装置５等からの入力をシリアルインターフェース２９を介してＣＰＵ２３等へ出力する。電源部４４は、システムマイコン４３の他、各回路に電源を供給する。また、電源部４４は、システムマイコン４３の制御によりコンピュータ部２１への電源供給のＯＮ／ＯＦＦが制御される。
【００２４】
次に、以上のような情報処理装置１のＨＤＤ６に、光ディスクドライブ９に装着された光ディスク１３に記録されたオーディオデータを複写する場合を図面を参照して説明する。
【００２５】
先ず、情報処理装置１は、ユーザが操作部１７、遠隔操作装置５、入力装置４等を操作することによって、ＣＰＵ２３の制御により光ディスクドライブ９からオーディオデータをＨＤＤ６に複写するためのアプリケーションプログラムを、メモリ２４にロードする。そして、情報処理装置１には、光ディスクドライブ９に、ユーザによって所定の光ディスク１３が装着される。
【００２６】
すると、図３に示すように、ステップＳ１において、情報処理装置１は、光ディスクドライブ９を駆動し、ここに装着されている光ディスク１３のＴＯＣ（table of contents）等をサーチし、光ディスク１３に記録されているデータ目録を抽出する。また、ステップＳ３において、ＣＰＵ２３は、ＨＤＤ６に保存されているオーディオデータをサーチする。そして、ＧＭＣＨ２５は、ステップＳ３において、ＣＰＵ２３の制御によりサーチ結果を、モニタ３に一覧表示する。すなわち、モニタ３には、光ディスク１３に記録されているオーディオデータとＨＤＤ６に保存されているオーディオデータとが一覧表示される。
【００２７】
ここで、光ディスク１３とＨＤＤ６に記録されているオーディオデータの一覧表示画面について図４を参照して説明すると、この一覧表示画面５０は、画面の一方の側に、光ディスクの記録内容が表示される光ディスク用表示部５１が設けられ、この光ディスク用表示部５１に隣り合ってハードディスクの記録内容が表示されるハードディスク用表示部５２が設けられている。また、一覧表示画面５０には、選択したオーディオデータを全て複写するのに要する複写時間が表示される複写時間表示部５７と、選択したオーディオデータを複写しているときの進捗状況を示す略棒状の第１の指標部５８とが設けられている。更に、一覧表示画面５０には、光ディスク用表示部５１に表示されたオーディオデータをスクロールするためのスクロール釦６２とハードディスク用表示部５２に表示されたオーディオデータをスクロールするためのスクロール釦６３とが設けられている。
【００２８】
光ディスク用表示部５１には、複写するオーディオデータの選択／非選択を表示する選択状態表示部５３と、光ディスク１３に記録されているオーディオデータの記録順序を示すトラック番号が表示される順番表示部５４と、曲名を表示する曲名表示部５５と、光ディスク１３に記録されている各オーディオデータの再生時間を表示する再生時間表示部５６とが設けられている。選択状態表示部５３、順番表示部５４及び再生時間表示部５６は、光ディスク１３に記録されているオーディオデータ毎に一列となるように、すなわち帯状に区画されて表示される。また、光ディスク用表示部５１では、順番表示部５４のナンバが「１」のものが中央部となるように表示され、その下側に、順に、順番表示部５４のナンバが「２」、「３」、「４」・・・と表示され、その上側に、順に、順番表示部５４のナンバが最後のもの（図４では「９」）から「８」、「７」・・・と表示される。すなわち、光ディスク用表示部５１には、ナンバ順にソートされ、先頭ナンバ「１」と最終ナンバ「９」とを繋げリング状にしたデータ列の一部を、先頭ナンバ「１」のデータが中央部となるように表示されている。したがって、光ディスク用表示部５１には、中央部の順番表示部５４のナンバが「１」のオーディオデータから下側に、ナンバ順にオーディオデータが表示され、また、中央部の順番表示部５４のナンバが「１」のオーディオデータから上側に、最終ナンバから遡るようにオーディオデータが表示される。なお、表示されていないデータを選択するときには、スクロール釦６２を操作部１７、遠隔操作装置５、入力装置４等で操作することによって、光ディスク用表示部５１に表示することができ、該データの選択状態表示部５３を切り換えることで、該データを「選択」又は「非選択」に切り換えることができる。
【００２９】
選択状態表示部５３は、オーディオデータが選択されているかどうかを示すものであり、操作部１７、遠隔操作装置５、入力装置４等によって切り換えられる。例えば、データ選択時には、「●」となり、データ非選択時には、「○」となる。
【００３０】
また、ハードディスク用表示部５２には、ＨＤＤ６に保存されている曲名を表示する曲名表示部５９と、各オーディオデータのデータサイズを表示するサイズ表示部６０とが設けられている。
【００３１】
情報処理装置１は、光ディスク１３とＨＤＤ６との記録内容を検索した結果、各表示部５１，５２の上述した所定のオーディオデータを、モニタ３に表示し、ユーザが光ディスク１３及びＨＤＤ６に保存されているオーディオデータを視認することができるようにする。
【００３２】
ステップＳ４において、情報処理装置１は、ユーザの操作に応じて、光ディスク１３中のオーディオデータの中からＨＤＤ６に複写するオーディオデータを選択する。すなわち、ＣＰＵ２３は、ユーザがマウス等で選択状態表示部５３をクリックすることによって、これを検出し、選択「●」、非選択「○」を切り換える。
【００３３】
そして、情報処理装置１は、ステップＳ５において、ユーザによって操作部１７、遠隔操作装置５、入力装置４等が操作されると、ＣＰＵ２３の制御により複写を開始する。情報処理装置１は、選択状態表示部５３が選択「●」のオーディオデータを、順番表示部５４のナンバ順に光ディスク１３に記録されているオーディオデータを読み出し、これをＨＤＤ６に複写する。勿論、記録順序は、順番表示部５４のナンバ順ではなく、ユーザが指定した順序であってもよい。
【００３４】
ここで、複写動作中の一覧表示画面５０について、図５を参照して説明すると、複写するデータ全体の進捗状況を示す第１の指標部５８は、進捗状況に応じて、図中左側から右側に向かって色が順に変化する。また、この第１の指標部５８には、現在複写中の曲名と、複写が完了したオーディオデータの合計データサイズと、複写速度とが表示される。
【００３５】
また、情報処理装置１は、ユーザが複写中のデータがどれであるか直ちに注目できるように、複写中のオーディオデータを常に光ディスク用表示部５１の中央部に表示する。図５に示す例では、順番表示部５４のナンバが「２」のものが複写中であるから、このオーディオデータが光ディスク用表示部５１の中央部に表示されている。
【００３６】
また、情報処理装置１は、複写中のオーディオデータのブロック６４、すなわち中央部のオーディオデータのブロックを、各オーディオデータの複写の進捗状況を示す第２の指標部６１とする。すなわち、図５に示す例では、順番表示部５４のナンバが「１」のオーディオデータは、既に複写が完了していることから、順番表示部５４のナンバが「１」の第２の指標部６１は、全て色が変わり、複写が完了していることを示している。また、順番表示部５４のナンバが「２」のオーディオデータは、現在複写中のオーディオデータであり、進捗状況に応じて途中まで色が変わっている。なお、複写が完了したオーディオデータ（図５では「１」のオーディオデータ）は、光ディスク用表示部５１からハードディスク用表示部５２に表示が移行されユーザが当該オーディオデータの複写が完了したことを視認することができるようになっている。
【００３７】
そして、情報処理装置１は、複写が全て完了すると、ステップＳ７において、例えばモニタ３に複写が完了したことをユーザに知らせる画面を表示する。
【００３８】
以上のような例によれば、ユーザは、全体の進捗状況と、各オーディオデータ毎の進捗状況とを視認することができ、複写中、現在どのオーディオデータまで複写が完了しているか、現在どのオーディオデータを複写しているか、複写前のオーディオデータがどれだけ残っているかを直ちに視認することができる。また、パーソナルコンピュータが複写動作中に動作不能になってしまったとき等にも、ユーザは、どのオーディオデータまで複写が完了しているかを直ちに視認することもできる。
【００３９】
以上の例では、光ディスク１３のオーディオデータをＨＤＤ６に複写する場合を説明したが、これに限定されるものではなく、以下の場合にも適用することができる。
１．ディスクカートリッジ１１からＨＤＤ６に複写するとき
２．ＩＣカード１２からＨＤＤ６に複写するとき
３．ＨＤＤ６からディスクカートリッジ１１に複写するとき
４．ＨＤＤ６からＩＣカード１２に複写するとき
５．ＨＤＤ６から光ディスク１３に複写するとき
６．ディスクカートリッジ１１からＩＣカード１２に複写するとき
７．ディスクカートリッジ１１から光ディスク１３に複写するとき
８．ＩＣカード１２からディスクカートリッジ１１に複写するとき
９．ＩＣカード１２から光ディスク１３に複写するとき
１０．ＥＭＤでＨＤＤ６、ディスクカートリッジ１１、ＩＣカード１２、光ディスク１３に複写するとき
ところで、以上のような情報処理装置１は、上述のように、例えばＩＣカード１２に記録されているオーディオデータをＨＤＤ６に複写することもできる。このとき、情報処理装置１は、一覧表示されたオーディオデータの中で一のオーディオデータが選択されており、このオーディオデータが複写のため選択状態表示部が「選択」になっているときに、これを「非選択」に切り換えると、残りのオーディオデータも「非選択」に切り換え、また、このオーディオデータが複写のため選択状態表示部が「非選択」になっているときに、これを「選択」に切り換えると、残りのオーディオデータも「選択」に切り換えることで、ユーザの選択操作回数を減らし、選択操作の簡素化を図っている。
【００４０】
具体的に、図６を参照して説明すると、この情報処理装置１は、メモリ２４に、ＩＣカードドライブ８に装着されたＩＣカード１２の各オーディオデータが、ＨＤＤ６に複写するオーディオデータとして選択されているかどうか、すなわち選択状態表示部５３の状態を保持する選択状態保持部７１を構築しており、ＣＰＵ２３が、操作部１７、遠隔操作装置５、入力装置４等から入力された選択変更入力に応じて、選択状態保持部７１に保持されているオーディオデータの変更を行うようになっている。また、情報処理装置１は、操作部１７、遠隔操作装置５、入力装置４等より選択位置の変更入力があると、ＣＰＵ２３が選択状態保持部７１に記憶保持されているオーディオデータの変更を行うようになっている。
【００４１】
ここで、ＨＤＤ６にＩＣカード１２のオーディオデータを複写するときのＩＣカード１２に記録されているオーディオデータの一覧表示画面について、図７（Ａ）を参照して説明すると、この一覧表示画面７２には、ＩＣカード１２に保存されている複写するオーディオデータの選択／非選択を表示する選択状態表示部７３と、ＩＣカード１２に保存されているオーディオデータの曲名を表示する曲名表示部７４と、オーディオデータのアーティスト名を表示するアーティスト名表示部７５と、オーディオデータの再生時間を表示する再生時間表示部７６とが設けられている。また、一覧表示画面７２には、複写するデータを選択するための指定釦７７と複写するデータを全選択するための全指定釦７８と、複写を開始する複写開始釦７９と、一覧表示をスクロールするためのスクロール釦８０とが設けられている。このような一覧表示画面７２は、初期画面において、中央部のデータ（図７（Ａ）の例では曲名「ＡＡＡＡＡ」のデータ）のブロック８１を、他のデータと色を変え、ユーザが注目しやすくなるようにし、これを選択状態としている。
【００４２】
また、選択状態表示部７３の切り換えは、切り換えるデータを選択状態にした後、指定釦７７と全指定釦７８を操作部１７、遠隔操作装置５、入力装置４等でクリックすることによって行うことができる。指定釦７７をクリックしたときには、選択状態のデータを、「選択（●）」又は「非選択（○）」に切り換えることができる。また、全選択釦７８をクリックしたときには、選択状態のデータを、「選択（●）」又は「非選択（○）」に切り換えると共に、残りのデータを、選択状態のデータに合わせて「選択（●）」又は「非選択（○）」に切り換えることができる。
【００４３】
更に、図７（Ａ）及び図８に示すように、スクロール釦８０で表示データをスクロールしたときには、常に一覧中、中央部になるデータが選択状態となるようになっている。また、一覧中、中央部以外のデータのブロック８１を操作部１７、遠隔操作装置５、入力装置４等で選択したときには、この選択したデータが中央部に位置するようになっている。図８に示す例では、スクロール釦８０によって曲名「ＤＤＤＤＤ」のデータが中央部となるように一覧をスクロールし、又は曲名「ＤＤＤＤＤ」のデータを選択することによって、曲名「ＤＤＤＤＤ」のデータが一覧の中央部に位置している。
【００４４】
次に、複写するデータを選択する際の動作を図９を参照して説明すると、先ず、情報処理装置１は、ユーザが操作部１７、遠隔操作装置５、入力装置４等を操作することによって、ＣＰＵ２３の制御によりＩＣカードドライブ８に装着されたＩＣカード１２からＨＤＤ６にオーディオデータを複写するためのアプリケーションプログラムを、メモリ２４にロードする。そして、ＣＰＵ２３は、ステップＳ１１において、ＩＣカード１２に保存されているオーディオデータをサーチし、ＧＭＣＨ２５は、ＣＰＵ２３の制御により、モニタ３に、図７（Ａ）に示す一覧表示画面７２を表示する。このとき、ＧＭＣＨ２５は、ＣＰＵ２３の制御により、中央部のデータのブロック８１、すなわち図中曲名が「ＡＡＡＡＡ」のブロック８１を、他のデータのブロック８１と色を変え、選択状態にして表示する。また、メモリ２４の選択状態保持部７１は、各データの選択状態表示部７３の状態を記憶保持する。例えば、選択状態表示部７３は、初期状態として、全てのデータを「選択（●）」とし、これを保持する。勿論、初期状態は、これに限定されるものではなく、例えば、全てを「非選択（○）」としてもよく、また、図７（Ａ）のように中央部のデータのみを、「非選択（○）」とし、残りを全て「選択（●）」とし、更に、これとは逆に、中央部のデータのみを、「選択（●）」とし、残りを全て「非選択（○）」としてもよい。
【００４５】
ステップＳ１２において、ＣＰＵ２３は、一覧中央の選択状態のデータ（図７（Ａ）中曲名「ＡＡＡＡＡ」のデータ）に対して、操作部１７、遠隔操作装置５、入力装置４等から選択状態表示部７３の変更入力が有るか、すなわち全指定釦７８がクリックされたかどうかを判断する。そして、変更入力が有ったときには、ステップＳ１３に進み、変更入力が無かったときには、ステップＳ１７に進む。
【００４６】
ステップＳ１３において、ＣＰＵ２３は、選択状態保持部７１を参照して、一覧中央の選択状態のデータのブロック８１が「選択（●）」であるかどうかを判断する。そして、「選択（●）」であるであるときには、ステップＳ１４に進み、「選択（●）」でないときには、ステップＳ１５に進む。
【００４７】
ステップＳ１４において、ＣＰＵ２３は、現在一覧中央の選択状態のデータのブロック８１が「選択（●）」であると判断し、選択変更入力が有ったことに応じて、「選択（●）」を「非選択（○）」に変更する。
【００４８】
ステップＳ１５において、ＣＰＵ２３は、現在一覧中央の選択状態のデータのブロック８１が「非選択（○）」であると判断し、選択変更入力が有ったことに応じて、「非選択（○）」を「選択（●）」に変更する。
【００４９】
ステップＳ１６において、ＣＰＵ２３は、選択状態表示部７３の内容を変更し、現在一覧中央の選択状態のデータのブロック８１の変更後に状態に合わせて、残りのデータのブロック８１の選択状態表示部７３の状態を切り換える。すなわち、ＣＰＵ２３は、図７（Ｂ）に示すように、現在一覧中央の選択状態のデータのブロック８１を「非選択（○）」から「選択（●）」に変更したとき、残りのデータのブロック８１を全て「選択（●）」にする。また、ＣＰＵ２３は、図７（Ｃ）に示すように、現在一覧中央の選択状態のデータのブロック８１を「選択（●）」から「非選択（○）」に変更したとき、残りのデータのブロック８１を全て「非選択（○）」にする。
【００５０】
また、ステップＳ１２で変更入力が無かったとき、ＣＰＵ２３は、ステップＳ１７において、操作部１７、遠隔操作装置５、入力装置４等から一覧中央のデータのブロック８１から他の位置のデータのブロック８１に選択状態を変更する指示が入力されたかどうか、すなわちスクロール釦８０がクリックされたか、又は、一覧中央のデータ以外の位置のデータが選択されたかどうかを判断する。そして、変更指示があったときには、ステップＳ１８に進み、変更指示が無かったときには、処理を終了する。
【００５１】
ステップＳ１８において、ＣＰＵ２３は、選択状態表示部７３の内容を変更し、選択されたデータが一覧中央に位置するようにする。すなわち、スクロール釦８０がクリックされたときには、常に一覧中、中央部になるデータのブロック８１が選択状態となるようにする。また、一覧中央のデータ以外の位置のデータのブロック８１が選択されたときには、この選択したデータが中央部に位置し、選択状態となるようにする。
【００５２】
このように、複写するデータがＩＣカード１２に保存されてるデータの殆ど全てであるときには、選択状態表示部７３が「非選択（○）」のデータのブロック８１を選択し、全指定釦７８をクリックすることによって、全てを「選択（●）」に切り換え、ここから複写しないデータのブロック８１を選択して指定釦７７をクリックすることによって、個別的に「非選択（○）」にする。また、複写するデータがＩＣカード１２に保存されているデータの中の僅かなデータであるときには、選択状態表示部７３が「選択（●）」のデータのブロック８１を選択し、全指定釦７８をクリックすることによって、全てを「非選択（○）」に切り換え、ここから複写するデータのブロック８１を、選択して指定釦７７をクリックすることによって、個別的に「選択（●）」にする。この後、複写開始釦７９をクリックすることによって、ＩＣカード１２に保存されているデータは、ＨＤＤ６に複写される。このような方法によれば、個別的に複写するデータを選択する場合よりも、選択操作回数を減らすことができ、複写するデータの選択操作を簡素化することができる。また、この情報処理装置１は、常にユーザが注目するデータを、ユーザが最も見やすい一覧の中央部に表示することで、視認性を良くすることができる。
【００５３】
また、モニタ３に全てのデータが表示されていないときであっても、表示されていない部分のデータの「選択（●）」から「非選択（○）」への切換や「非選択（○）」から「選択（●）」への切り換えを行うことができ、ユーザの画面をスクロールする操作を省くことができ、操作性の向上を図ることができる。
【００５４】
以上の例では、ＩＣカード１２のオーディオデータをＨＤＤ６に複写する場合を説明したが、これに限定されるものではなく、以下の場合にも適用することができる。
１．光ディスク１３からＨＤＤ６に複写するとき
２．ディスクカートリッジ１１からＨＤＤ６に複写するとき
３．ＨＤＤ６からディスクカートリッジ１１に複写するとき
４．ＨＤＤ６からＩＣカード１２に複写するとき
５．ＨＤＤ６から光ディスク１３に複写するとき
６．ディスクカートリッジ１１からＩＣカード１２に複写するとき
７．ディスクカートリッジ１１から光ディスク１３に複写するとき
８．ＩＣカード１２からディスクカートリッジ１１に複写するとき
９．ＩＣカード１２から光ディスク１３に複写するとき
１０．ＥＭＤでＨＤＤ６、ディスクカートリッジ１１、ＩＣカード１２、光ディスク１３に複写するとき
以上のように、情報処理装置１のＨＤＤ６には、光ディスク１３に記録されたデータ、ＥＭＤでダウンロードしたデータ、ＩＣカード１２のデータ等種々の媒体のデータを保存することができる。このＨＤＤ６は、例えば４０ギガバイト程度の大容量ハードディスクで構成されており、５０００曲程度のオーディオデータを保存することができる。
【００５５】
ＨＤＤ６にディスクカートリッジ１１、ＩＣカード１２及び光ディスク１３に記録されているオーディオデータをＨＤＤ６に保存するときには、図１０に示すように、ＨＤＤ６に保存されるオーディオデータ毎に、このオーディオデータが収録されているアルバム名と、オーディオデータの曲名と、オーディオデータのアーティスト名と、オーディオデータのＨＤＤ６への記録日時とが関連付けられる。各オーディオデータに関連付けられたアルバム名、曲名、アーティスト名及び記録日時は、ＨＤＤ６内に保存されているオーディオデータを検索するときの検索キーワードとなる。
【００５６】
次に、オーディオデータがＨＤＤ６に保存される手順について図１１を参照して説明すると、オーディオ／ビデオ入力部４２、ディスクカートリッジドライブ７、ＩＣカードドライブ８又は光ディスクドライブ１３より入力されたオーディオデータは、サウンドインターフェース３４を介してＨＤＤ６に保存される。このとき、オーディオデータは、サウンドインターフェース３４に設けられた又はソフトウェアにより構成されたリッピング部９１により、ＨＤＤ６への保存形式にデータ変換され、また、アルバム名、曲名、アーティスト名及び記録日時が関連付けられた後、ＨＤＤ６に保存される。具体的に、オーディオデータは、ＡＴＲＡＣ３（Adaptive Transform Acoustic Coding 3：商標）形式で、圧縮された後、ＨＤＤ６に保存される。
【００５７】
なお、この圧縮形式は、これに限定されるものではなく、例えば、ＭＰＥＧ−２ＡＡＣ（Motion Picture Expert Group 2 Advanced Audio Coding：商標）、ＭＰ３（MPEG-1 Audio Layer3：商標）、ＴｗｉｎＶＱ（Transform-Domain Weighted Interleave Vector Quantization：商標）、ＭＳ Ａｕｄｉｏ（ＷＭＡ:Windows Media Audio：登録商標）、Ｏｇｇ Ｖｏｒｂｉｓ（商標）等の方式で行うようにしてもよい。
【００５８】
また、この圧縮されたオーディオデータを保存するとき関連付けられるアルバム名、曲名及びアーティスト名は、操作部１７、遠隔操作装置５、入力装置４等により入力される。なお、アルバム名、曲名及びアーティスト名は、操作部１７、遠隔操作装置５、入力装置４等で入力する他、ネットワーク１５を介して、外部のデータベースにアクセスして取得するようにしてもよく、また、ＨＤＤ６に構築されているデータベースを参照して取得するようにしてもよい。また、記録日時は、装置本体２が内蔵する時計を参照し、オーディオデータの保存時の日時とされる。
【００５９】
ＨＤＤ６に保存されたオーディオデータを再生するときには、再生するオーディオデータがユーザにより選択されると、ＣＰＵ２３は、選択されたオーディオデータをＨＤＤ６より読み出され、再生処理される。この再生処理は、サウンドインターフェース３４オーディオＤＳＰ３９、ディジタルアンプ４０等で構成された再生部９２で行われる。再生部９２は、圧縮されているオーディオデータを伸長した後、イコライジング等の所定の信号処理を施した後、スピーカ１０より出力する。
【００６０】
情報処理装置１では、このようにＨＤＤ６に保存された多くのオーディオデータの中からユーザが所望のオーディオデータを見つけ出すことができるように、検索用のソフトウェアがＨＤＤ６に保存されている。この情報処理装置１を機能的に説明すると、図１１に示すように、この情報処理装置１は、ソフトウェアにより構成されるソート部９３と検索部９４とを有する。
【００６１】
ソート部９３には、操作部１７、遠隔操作装置５、入力装置４等からソート条件が入力される。具体的に、ソート部９３は、アルバム名、曲名又はアーティスト名のどれでソートするかソート条件が入力されたとき、ＨＤＤ６に保存されているデータを、各データのアルバム名、曲名又はアーティスト名を参照して、アルファベット順、５０音順等の条件に従ってソートする。また、ソート部９３は、ソート条件として記録日時が選択されたとき、ＨＤＤ６に保存されているデータを、各データの記録日時を参照して、オーディオデータの記録の新しい順又は古い順にソートする。そして、ソート部９３は、図１３（Ｂ）に示すように、ソートされたデータ一覧をモニタ３に表示する。ソートされたデータは、先頭と最後のデータを繋げリング状に配列される。
【００６２】
検索部９４には、操作部１７、遠隔操作装置５、入力装置４等から検索キーワードが文字データとして入力される。また、検索部９４には、マイク１８より入力された音声データに対して音声認識処理を施した検索キーワードが入力される。検索部９４は、入力された検索キーワードとＨＤＤ６に保存されている各オーディオデータのアルバム名、曲名又はアーティスト名を比較して検索を行い、検索結果を、モニタ３に表示する。操作部１７、遠隔操作装置５、入力装置４等から検索キーワードとして文字データが入力されたとき、検索部９４は、図１３（Ｃ）に示すように、アルバム名、曲名又はアーティスト名の文字列の先頭からマッチングを行い、検索結果をモニタ３に表示する。また、マイク１８より音声で検索キーワードが入力されたとき、検索部９４は、アルバム名、曲名又はアーティスト名の文字列と認識結果とを比較し、検索結果をモニタ３に表示する。
【００６３】
このとき、検索部９４は、検索キーワードと一致する又は最も近いオーディオデータを、一覧中央にし、他のオーディオデータと色を変え選択状態にしてモニタ３に表示する。検索キーワードと一致する又は最も近いオーディオデータを一覧中央に表示するのは、この位置が最もユーザにとって見やすい位置だからであり、選択状態とするのは、このデータが次の操作で再生される可能性が最も高いデータだからである。また、検索部９４は、ソート部９３でソートされた略リング状のデータ列を回転させ、検索キーワードと一致する又は最も近いオーディオデータが一覧中央に位置するようにし、その近傍のデータをモニタ３に表示する。したがって、一覧中央のデータの下側には、ソート部９３によってソートされたデータの後続が順方向に並んで表示され、一覧中央のデータの上側には、ソート部９３によってソートされたデータの先行のデータが逆方向に並んで表示される。なお、検索結果一覧に表示されるデータの数は、特に図に示した数に限定されるものではない。
【００６４】
次に、図１２を参照して、オーディオデータの検索動作について説明すると、先ず、情報処理装置１は、検索用のプログラムが起動されると、図１３（Ａ）に示すような一覧表示画面１０１をモニタ３に表示する。この一覧表示画面１０１は、ＨＤＤ６に保存されているオーディオデータの一覧を表示するものであり、各オーディオデータ毎に、このオーディオデータが収録されたアルバム名と、オーディオデータの曲名と、オーディオデータを演奏しているアーティスト名と、ＨＤＤ６に保存した記録日時とが表示される。そして、一覧表示画面１０１には、オーディオデータが不規則に並んで一覧表示されている。
【００６５】
ステップＳ２１において、ソート部９３には、操作部１７、遠隔操作装置５、入力装置４等からソート条件が入力される。そして、ステップＳ２２において、ソート部９３は、入力されたソート条件に応じて、オーディオデータをソートし、モニタ３に表示する。図１３１３（Ｂ）の例では、ソート条件として、アーティスト名が入力され、この入力に応じて、ソート部９３は、アーティスト名を参照して例えばアルファベット順にソートする。ソートされたデータは、先頭と最後のデータを繋げリング状に配列される。すなわち、図１３（Ｂ）の例では、先頭のアーティスト名「Ａｎｎ」の曲名「ＡＡＡＡＡ」とアーティスト名「Ｔｏｍ」の曲名「ＹＹＹＹＹ」とが繋がるようにされる。
【００６６】
ステップＳ２３において、検索部９４には、操作部１７、遠隔操作装置５、入力装置４等から検索キーワードが文字データとして入力される。また、検索部９４には、マイク１８より入力された音声データに対して音声認識処理を施した検索キーワードが入力される。ステップＳ２４において、検索部９４は、入力された検索キーワードとＨＤＤ６に保存されている各オーディオデータのアルバム名、曲名又はアーティスト名を比較して検索を行い、検索結果を、モニタ３に表示する。例えば、図１３（Ｃ）は、検索キーワードを曲名「ＱＱＱＱＱＱ」として検索を行った検索結果を示す画面であり、検索キーワードと一致した曲名「ＱＱＱＱＱＱ」が一覧中央に、他の色を変えた選択状態となって表示される。また、一覧中央の下側には、アーティスト名でソートされた一覧中央のデータの後続データが順方向に並んで表示され（下に向かってＪｏｈｎ、Ｔｏｍの順）、一覧中央の上側には、アーティスト名でソートされた一覧中央のデータの先行するデータが逆方向に並んで表示される（上に向かってＪｏｈｎ、Ｂｏｂの順）。
【００６７】
以上のような例では、アーティスト名でソートした後曲名のキーワードで検索を行うようにすることから、図１３（Ｃ）の画面では、目的とするオーディオデータを検索することができると共に、そのオーディオデータのアーティストの曲を見ることができる。
【００６８】
なお、検索方法としては、以上のように異なるフィールドでソートと検索を行う他に、同じフィールドでソートと検索を行うようにしてもよい。例えば、曲名をアルファベット順、５０音順でソートした後、曲名の検索キーワードに基づいて検索を行ったときには、一覧中央の検索キーワードと一致する又は最も近いオーディオデータの上下方向には、検索キーワードに近いデータが表示されることから、仮に一覧中央のデータが所望のデータと違う場合であってもその近くを見ることで所望のデータを見つけ出すことができる。更に、以上の例では、ソートを行った後検索を行うようにしたが、これとは逆に、検索キーワードで検索を行った後、検索結果一覧を所定のソート条件でソートするようにしてもよい。また、以上の例では、ＨＤＤ６を検索する場合を説明したが、このソートと検索は、ディスクカートリッジ１１、ＩＣカード１２、光ディスク１３、更に、ネットワークを介して接続されたサーバに蓄積されたデータの検索に用いるようにしてもよい。
【００６９】
ところで、上述した一覧表示画面５０，７１，１０１等は、背景画像に重畳するように表示される。また、以上のような検索結果により検索されたオーディオデータを再生するとき、モニタ３には、背景画像として、再生中のオーディオデータのスペクトルを表示する。例えば、再生される全てのオーディオデータは、サウンドインターフェース３４を介して出力されるようになっており、サウンドインターフェース３４は、再生中のオーディオデータを、高速フーリエ変換等の処理をし、周波数分析し、得られるスペクトルに応じた背景画像を生成し、これをモニタ３に表示することができるようにする。
【００７０】
そして、背景画像上に表示される一覧表示画面５０，７１，１０１等では、表示されたデータを見やすくするために、一覧表示された各データのブロックで、背景画像の透過率を変えて表示するようにしている。
【００７１】
すなわち、図１４に示すように、情報処理装置１は、ソフトウェア等で実現される第１のミキサ１１１と第２のミキサ１１２とが設けられている。検索結果一覧を表示する一覧表示画面１０１を例に取り説明すると、第１のミキサ１１１には、記憶手段であるＨＤＤ６等に保存されている透過率テーブルより読み出した各ブロックの背景画像の透過率データと背景画像データが入力される。ここで、透過率データは、図１５に示すように、検索キーワードと一致する又は最も近いオーディオデータが表示される一覧中央のブロック１０２ａの背景画像１１０の透過率が０％となっており、中央部のブロック１０２ａの隣接する上下のブロックは、両端に向かうに従って背景画像１１０の透過率が高くなるように設定されている。そして、第１のミキサ１１１は、透過率に従った背景画像データを第２のミキサ１１２に出力する。
【００７２】
第２のミキサ１１２には、この透過率に従った背景画像データと各ブロック１０２に表示されるアルバム名、曲名、アーティスト名、記録時間等の文字データが入力される。そして、第２のミキサ１１２は、文字データと透過率に従った背景画像データとを重畳し、これをモニタ３に出力する。
【００７３】
図１５を用いて、モニタ３に表示される画面を説明すると、検索キーワードと一致する又は最も近いオーディオデータが表示される一覧中央のブロック１０２ａは、透過率が０％となっており、背景画像が写らないようになっており、ユーザが最も注目しやすく表示されている。中央部のブロック１０２ａの隣接する上下のブロック１０２ｂ，１０２ｂは、透過率が最も背景画像１１０を透過しない透過率となっており、背景画像１１０が薄く表示され、文字データが鮮明に表示され、一覧中央のブロック１０２ａに次いでユーザが注目するようになっている。ブロック１０２ｂ，１０２ｂの上下に隣接する次のブロック１０２ｃ，１０２ｃは、透過率がその次に背景画像１１０を透過しない透過率となっており、ブロック１０２ｂ，１０２ｂに次ぐ明るさとなっており、ブロック１０２ｂ，１０２ｂに次いでユーザが注目するようになっている。ブロック１０２ｃ，１０２ｃの上下に隣接する次のブロック１０２ｄ，１０２ｄは、透過率がその次に背景画像１１０を透過しない透過率、すなわち最も高い透過率となっており、最も暗くなっており、ユーザが最も注目しにくくなっている。すなわち、一覧中央のブロック１０２ａの除くブロックは、両端に向かうに従って背景画像１１０の透過率が高くなるように設定され、両端に向かうほど文字データが見にくくなるようになっている。
【００７４】
以上のような表示方法によれば、一覧中央のブロック１０２ａの背景画像１１０の透過率を０％とし、その両側のブロック１０２ｂ〜１０２ｄの背景画像１１０の透過率を順に上げるようにして背景画像１１０を表示することで、すなわち両端に向かうにつれて暗くなるようにすることで、ユーザが先ず一覧中央のブロック１０２ａに注目するようになり、また、これに次いでユーザが透過率の低い順、すなわち中央から外側に向かって注目するようになり、視認性を向上させることができる。
【００７５】
なお、この背景画像１１０の透過率の制御は、上述した一覧表示画面５０，７１，１０１に適用してもよい。また、中央部のブロック１０２ａの背景画像１１０の透過率は、一覧表示画面５０，７１，１０１のように、ユーザが画面中で最も注目しやすくなるものであれば、特に０％に限定されるものではない。また、ブロック単位で透過率を変化させる他に、中央部のブロック１０２ａの両側から徐々に背景画像１１０の透過率を上げるようにしてもよい。
【００７６】
ブロック１０２ｂ〜１０２ｄの背景画像１１０の透過率を両端に向かって上げる制御は、以上のようにＨＤＤ６に設けた透過率テーブルに応じて行うようにする他、この情報処理装置１がパーソナルコンピュータと同様の機能を有するものであるから、インストールされているソフトウェアに応じて様々な一覧画面表示がされることもあり、従って、中央部のブロックからの距離に応じて透過率を算出し、この算出結果に応じて上述のような背景画像１１０の透過率を変化させた一覧表示画面を表示するようにしてもよい。
【００７７】
なお、以上説明した情報処理装置１の機能は、ハードウェアによって実現することも可能である。また、ソフトウェアによって実現するときには、これらの機能を有するソフトウェアが記録されたディスクカートリッジ１１、ＩＣカード１２、光ディスク１３を、ディスクカートリッジドライブ７、ＩＣカードドライブ８、光ディスクドライブ９に装着し、ＨＤＤ６にインストールすればよい。また、ネットワーク１５を介してこのソフトウェアをダウンロードすることによってＨＤＤ６にインストールしてもよい。
【図面の簡単な説明】
【００７８】
【図１】本発明が適用された情報処理装置の外観斜視図である。
【図２】上記情報処理装置のブロック図である。
【図３】光ディスクのデータをハードディスクに複写するときの動作を説明するフローチャートである。
【図４】複写動作開始前の一覧表示画面を説明する図である。
【図５】複写動作中の一覧表示画面を説明する図である。
【図６】複写するデータを選択することができる情報処理装置の機能を説明する図である。
【図７】（Ａ）〜（Ｃ）は、複写するデータを選択するための一覧表示画面を説明する図である。
【図８】複写するデータを変更したときの一覧表示画面を説明する図である。
【図９】複写するデータを選択する際の動作を説明するフローチャートである。
【図１０】ハードディスクに保存されるデータフォーマットを説明する図である。
【図１１】ハードディスクに記録したデータを検索することができる情報処理装置の機能を説明するブロック図である。
【図１２】データの検索手順を説明するフローチャートである。
【図１３】（Ａ）〜（Ｃ）は、検索画面の変遷を説明する図である。
【図１４】一覧表示画面のブロック毎に透過率を変える情報処理装置の機能を説明するブロック図である。
【図１５】ブロック毎に透過率を変えた一覧表示画面を説明する図である。
【符号の説明】
【００７９】
１ 情報処理装置、５０ 一覧表示画面、５１ 光ディスク用表示部、５２ ハードディスク用表示部、５３ 選択状態表示部、５４ 順番表示部、５５ 曲名表示部、５６ 再生時間表示部、５７ 複写時間表示部、５８ 第１の指標部、５９ 曲名表示部、６０ サイズ表示部、６１ 第２の指標部、６２，６３ スクロール釦、７２ 一覧表示画面、７３ 選択状態表示部、７４ 曲名表示部、７５ アーティスト名表示部、７６ 再生時間表示部、７７ 指定釦、７８ 全指定釦、７９ 複写開始釦、８０ スクロール釦、８１ ブロック、１０１ 一覧表示画面
【図１】
2008016178.tif 000003
【図２】
2008016178.tif 000004
【図３】
2008016178.tif 000005
【図４】
2008016178.tif 000006
【図５】
2008016178.tif 000007
【図６】
2008016178.tif 000008
【図７】
2008016178.tif 000009
【図８】
2008016178.tif 000010
【図９】
2008016178.tif 000011
【図１０】
2008016178.tif 000012
【図１１】
2008016178.tif 000013
【図１２】
2008016178.tif 000014
【図１３】
2008016178.tif 000015
【図１４】
2008016178.tif 000016
【図１５】
2008016178.tif 000017